(57)【要約】【課題】  スクリーン部材を巻き取りや巻き戻しが可能になると共に、取り付け作業を迅速に行うことのできるようにする。【解決手段】  開口部を遮蔽するスクリーン部材２０を、回転自在の巻取り軸１２に巻き取ったり巻き戻して前記開口部の開閉を行うロールスクリーン装置であって、端部に開口部を有して該開口部から前記巻取り軸に外装できると共に、前記スクリーン部材の一縁部２０Ａが取り付けられる取付部材１４を具備し、前記巻取り軸の横断面外周輪郭が非円形であり、前記取付部材を長手方向端から見た内周輪郭が非円形であり、前記外周輪郭と内周輪郭とは、巻取り軸の回転に伴って取付部材が連れ回りを生じる形状であるよう構成する。【選択図】        図２
2006233581.tif 000002
【特許請求の範囲】
【請求項１】
開口部を遮蔽するスクリーン部材を、回転自在の巻取り軸に巻き取ったり巻き戻して前記開口部の開閉を行うロールスクリーン装置であって、
端部に開口部を有して該開口部から前記巻取り軸に外装できると共に、前記スクリーン部材の一縁部が取り付けられる取付部材を具備し、
前記巻取り軸の横断面外周輪郭が非円形であり、
前記取付部材を長手方向端から見た内周輪郭が非円形であり、
前記外周輪郭と内周輪郭とは、巻取り軸の回転に伴って取付部材が連れ回りを生じる形状である
ことを特徴とするロールスクリーン装置。
【請求項２】
前記外周輪郭上の２点間離隔寸法の中の最大離隔寸法が、前記内周輪郭に対する内接円の中の最大内接円の直径よりも大きい請求項１記載のロールスクリーン装置。
【請求項３】
前記取付部材は線状又は帯状の部材による螺旋状部材であり、スクリ−ン部材の前記一縁部には、該取付部材の線状又は帯状の部材を挿通させるための挿通孔が複数個配設されている請求項１又は２記載のロールスクリーン装置。
【請求項４】
前記外周輪郭と内周輪郭は共に多角形である請求項１〜３の何れか１記載のロールスクリーン装置。
【請求項５】
前記巻取り軸と取付部材との間には、前記スクリーン部材一縁部の取り付け可能な空間を有する請求項１〜４の何れか１記載のロールスクリーン装置。
【請求項６】
スクリーン部材が網目状の部材であり、該部材の前記巻取り軸に沿った方向の網目ピッチが一定値であり、前記取付部材の螺旋ピッチが前記一定値と同じか、又はその整数倍である請求項１〜５の何れか１記載のロールスクリーン装置。
【請求項７】
前記巻取り軸はその両端部にフランジが設けられており、前記取付部材の長手方向寸法と、前記フランジ間の離隔寸法が略同じか、又は螺旋状の該取付部材の長手方向寸法が弾性変形可能な範囲内で前記離隔寸法よりも長い請求項１〜６の何れか１記載のロールスクリーン装置。
【発明の詳細な説明】
【技術分野】
【０００１】
本発明は、建物の窓の部屋側や車庫等の開口部に設け、外部からの不正侵入防止や、部屋から外部への不用意な飛び出し防止等のように、防犯や安全のために設けたり、或いは単なる間仕切りとしてのロールタイプのスクリーン装置に関する。
【背景技術】
【０００２】
スクリーン部材を巻取り軸に巻き取り可能にするための取付構造としては、下記特許文献１では、スクリーン部材である菱形ネットの上辺部を巻取軸体４の回転軸から離れた外周位置にある取付杆１９に取り付け、巻き取りや巻き戻しを可能にしている。この取付杆への取り付けに際しては、線状の取付部材８を介在させたり、所定場所毎に縛るための針金等を使用する。
【特許文献１】実用新案登録第２５５７９９４号公報
【発明の開示】
【発明が解決しようとする課題】
【０００３】
然しながら、現場や工場において菱形ネットと巻取軸体とを組み付ける場合、線状の取付部材を螺旋状に巻き付けながら菱形ネットの上辺部の折曲部２を掛け止めしたり、短い針金状部材を複数箇所に縛り付ける以外に方法が無く、手数を要し、迅速な取り付け作業ができない。
従って解決しようとする課題は、スクリーン部材を上記公報とは異なる手法で巻取り軸に取り付け、巻き取りや巻き戻しが可能になると共に、取り付け作業を迅速に行うことのできるロールスクリーン装置の提供を目的とする。
【課題を解決するための手段】
【０００４】
請求項１に係る発明では、開口部を遮蔽するスクリーン部材を、回転自在の巻取り軸に巻き取ったり巻き戻して前記開口部の開閉を行うロールスクリーン装置であって、端部に開口部を有して該開口部から前記巻取り軸に外装できると共に、前記スクリーン部材の一縁部が取り付けられる取付部材を具備し、前記巻取り軸の横断面外周輪郭が非円形であり、前記取付部材を長手方向端から見た内周輪郭が非円形であり、前記外周輪郭と内周輪郭とは、巻取り軸の回転に伴って取付部材が連れ回りを生じる形状であることを特徴とするロールスクリーン装置を提供する。
形状には寸法が含まれる。
この取付部材は筒状の通し部材でもよく、また、そうした筒状通し部材ではなく、幾つかに分割された複数個の環状部材でもよく、また、請求項３に述べるように、螺旋状の部材でもよい。螺旋状の部材も、複数個に分割されていてもよい。
【０００５】
請求項２では、前記外周輪郭上の２点間離隔寸法の中の最大離隔寸法が、前記内周輪郭に対する内接円の中の最大内接円の直径よりも大きい請求項１記載のロールスクリーン装置を提供する。
内周輪郭が正多角形の場合は、内接円は唯一に定まり、上記内接円の中の最大内接円は、この唯一の内接円のことである。内周輪郭が任意の多角形やその他の非円形の場合は、上記内接円は該内周輪郭の３箇所に内接する円のことであり、複数個有り、その中の最大の内接円を考える。
【０００６】
請求項３では、前記取付部材は線状又は帯状の部材による螺旋状部材であり、スクリ−ン部材の前記一縁部には、該取付部材の線状又は帯状の部材を挿通させるための挿通孔が複数個配設されている請求項１又は２記載のロールスクリーン装置を提供する。
【０００７】
請求項４では、前記外周輪郭と内周輪郭は共に多角形である請求項１〜３の何れか１記載のロールスクリーン装置を提供する。
請求項５では、前記巻取り軸と取付部材との間には、前記スクリーン部材一縁部の取り付け可能な空間を有する請求項１〜４の何れか１記載のロールスクリーン装置を提供する。
【０００８】
請求項６では、スクリーン部材が網目状の部材であり、該部材の前記巻取り軸に沿った方向の網目ピッチが一定値であり、前記取付部材の螺旋ピッチが前記一定値と同じか、又はその整数倍である請求項１〜５の何れか１記載のロールスクリーン装置を提供する。
【０００９】
請求項７では、前記巻取り軸はその両端部にフランジが設けられており、前記取付部材の長手方向寸法と、前記フランジ間の離隔寸法が略同じか、又は螺旋状の該取付部材の長手方向寸法が弾性変形可能な範囲内で前記離隔寸法よりも長い請求項１〜６の何れか１記載のロールスクリーン装置を提供する。
上記略同じの範囲は、フランジ間の離隔寸法と同じか、又はその寸法の５ｍｍ以下の変動である。
【発明の効果】
【００１０】
請求項１では、巻取り軸の前記の外周輪郭と取付部材の前記の内周輪郭とは、巻取り軸の回転に伴って取付部材が連れ回りをする形状であるため、巻取り軸を回転させた際に、取付部材は連れ回りを生じる。従って、この取付部材に取り付けたスクリーン部材は、巻き取り軸の回転に伴って巻き取られたり、巻き戻しできる。また、取付部材は開口部から巻取り軸を挿入できるため、予めスクリーン部材の一縁部を取付部材に取り付けておけば、巻取り軸とこのスクリーン部材を組み付ける場合には、単に巻取り軸を取付部材の中に挿入すれば組み付けられ、現場等において迅速な組み付け作業が可能となる。
【００１１】
請求項２は、連れ回りをする形状を具体的に記載したものである。
請求項３は、取付部材を螺旋状としている。
螺旋状の取付部材が巻取り軸に外装されている状態においても、この螺旋状取付部材が弾性を有する範囲では、軸方向に圧縮変形させることにより、その内周輪郭が大きくなり、巻取り軸との間に隙間を生じ、巻取り軸に対して螺旋状取付部材が螺旋方向に回転できるようになる。従って、取付部材を螺旋方向に回転させつつスクリーン部材の一縁部の挿通孔に挿通した係合を外すことができる。また、逆に、係合させることもできる。
【００１２】
請求項４は、典型的な形態例であり、巻取り軸に対する取付部材の相対回転防止がより確実になる。
請求項５では、巻取り軸と取付部材との間にスクリーン部材一縁部の取り付け可能な空間を有するため、取付部材に対してスクリーン部材を直接に装着でき、他の部品が不用となる。
【００１３】
請求項６では、取付部材の螺旋ピッチがスクリーン部材の網目のピッチと同じか、又はその整数倍であるため、スクリーン部材一縁部の網目と、螺旋状の取付部材とを互いに係合させることができる。従って、工場において、スクリーン部材を形成する際に、取付部材をも一緒に編み込みできる。従って、製造効率がよく、コストを抑えられる。
【００１４】
請求項７では、取付部材の長手方向の長さ寸法と、フランジ間の離隔寸法が略同じか、又は取付部材の方が弾性変形可能な範囲内で長いため、取付部材を巻取り軸に装着すると、取付部材と巻取り軸とは長手方向の相対位置が定まる。従って、取付部材に対して取り付けられたスクリーン部材は、巻取り軸に対するその相対位置が正確に定まる。
【発明を実施するための最良の形態】
【００１５】
以下、本発明を図面を用いて詳細に説明する。図１は本発明に係るロールスクリーン装置の正面図であり、図２はその上部の拡大図、図３は主要部の側面図、図４はスクリーン部材を巻き取った場合の側面図である。建物開口部の上枠部に対してブラケット部材２２を介して取り付け、スクリーン部材２０を巻き取る巻取り軸１２を水平にした状態で懸架している。また、スクリーン部材を巻き取って収納する空間を確保する収納ケース１０も、前記ブラケット部材と共に上枠部にねじで装着固定している。
【００１６】
スクリーン部材２０は布状の物でもネット状の物でもよいが、ここでは、防犯並びに安全を目的としているため、ステンレス等の金属製の線状部材を使用したネット構造のスクリーンとしている。ネット状の場合は、昼間に使用しても外部からの採光が可能である利点がある。また、ネット状であるため、後述の螺旋状取付部材１４の線状部材や帯状部材を挿通できる挿通孔を有する。このスクリーン部材２０の左右縁部は、ガイドレールＧ１，Ｇ２によって上下方向移動が円滑に案内されるように構成されている。また、スクリーン部材の下縁部には、左右方向に長い下枠部材３０が取り付けられ、下縁部はこれに保持されている。この下枠部材の重量によってスクリーン部材の巻き下しが容易になる他、スクリーン部材を平面状に保持しやすくなる。部品２０Ｎはスクリーン部材のガイドレールからの抜け止め部材であり、部材２４はスクリーン部材の巻取りや巻き戻し操作用の操作チェーンである。
【００１７】
巻取り軸１２はアルミニウム等の金属や合成樹脂製の筒体構造であり、その横断面外郭形状は、正六角形を基本とし、１８０度反対位置において互いに対向する１組の頂点、即ち、２つの頂点の近くを平面１２Ｈにした八角形を成している。一方、この巻取り軸１２の外側には、金属製線状部材を螺旋状に巻き付けた形態の取付部材１４が外装配設されている。螺旋状の取付部材であるため、一端部の開口部から他端部の開口部にまで亘って巻取り軸を挿入する貫通孔を有する。この取付部材の長手方向端から見た内周と外周の輪郭形状は、正六角形である。例えば直径が２ｍｍ程度の金属製線状部材で構成すれば、その剛性によって、使用中その正六角形の形状が維持される。
【００１８】
更には、この取付部材の内周輪郭は、巻取り軸の外郭の基本形状である既述の正六角形と実質同じ寸法（僅かに大きな寸法）の正六角形であり、図３や図４に示すように、巻取り軸１２の外郭の前記正六角形の辺をそのまま残している辺と、取付部材１４の内周輪郭正六角形の辺とが対面している。従って、巻取り軸１２をその軸芯Ｌ１の回りに回転させると、外側の取付部材１４は連れ回りを生じ、共に回転する。従って、スクリーン部材２０を巻き取ったり、巻き戻すことができる。このことを数式的に表現すると、巻取り軸の外周輪郭上の２点の最大離隔距離は、軸芯Ｌ１を通る径の中の最大直径寸法であり、取付部材内周輪郭に対する内接円の中の最大内接円の直径は、この場合、唯一に定まる内接円の直径であり、この内接円の直径よりも大きいということである。
【００１９】
この例でのスクリーン部材２０は、線状部材を波打たせた２種類の波状部材２０Ａ，２０Ｂをその長手方向が左右方向に指向するように配し、これらを上下方向に交互に配交しつつ互いに係合させて構成している。波状部材２０Ａの波の高さは、他の波状部材２０Ｂの波の高さよりも低い。更には、この例では、各波状部材の波ピッチは全て同じ一定値としており、これにより低コストに製造できる。一方、巻取り軸１２の外周輪郭の前記平面１２Ｈと、取付部材１４の内周輪郭の頂点部領域との間には、三角形状の空間１６が形成されている。この空間の１方を使用し、取付部材１４に対して、スクリーン部材２０の上縁部を成す波の高さの低い波状部材２０Ａを係合させている。この例では、取付部材１４は、波状部材２０Ａ，２０Ｂと同じピッチの螺旋状であるが、このピッチの整数倍の螺旋としてもよい。
【００２０】
このロールスクリーン装置の製造、組立においては、ネット状のスクリーン部材２０を製造する工場において、線状部材を所定の板部材等の治具に巻回する等の手法によって各波状部材を製造するが、それと同様な手法により、即ち、横断面が正六角形の軸杆治具に線状部材を巻回する等の手法によって取付部材１４を製造できる。従って、スクリーン部材も取付部材も、同じ工場で、同じようにして製造でき、互いを係合させる手法も同様にでき、効率的に製造できる。従って、低コストで製造可能となる。こうして、スクリーン部材２０と取付部材１４とを互いに係合させておき、巻取り軸１２と共に現場へ運び、その現場では、単に巻取り軸１２を取付部材１４に挿入するだけで組み立てができる。
【００２１】
また、取付部材１４を巻取り軸１２に対して組み付けた場合に、該取付部材の各端が巻取り軸の両端部に外嵌配設されたフランジ部１２Ｆ，１２Ｆに対して当接する長さの取付部材１４を製造すると、組み付け後のスクリーン部材２０の左右方向位置が定まり、都合がよい。なお、以上説明したスクリーン部材の上縁部の巻取り軸への装着構造として取付部材１４を介在させたのと同様な構造を、下枠部材３０とスクリーン部材の下縁部の取り付けにおいて採用してもよい。即ち、下枠部材内に、巻取り軸と類似の軸杆の外側に螺旋状取付部材を巻装したものを内挿し、この取付部材にスクリーン部材の下縁部を係合させる構造を採用してもよい。
【００２２】
以上の例では、螺旋状の取付部材１４は線状部材で形成しているが、帯状部材でもよい。また、巻取り軸１２の外郭を八角形とし、取付部材１４の内郭を正六角形としているが、夫々他の適宜な多角形でもよく、また、円弧や楕円を使用した適宜な形状にすることもできる。要は、断面非円形にし、巻取り軸を回転させた場合に、取付部材が連れ回り回転すればよい。また、巻取り軸を３６０度未満の所定角度回転させる間は取付部材が連れ回りせず、その後の回転で連れ回り開始する形態であってもよい。
【００２３】
更には、上記の隙間空間１６が無く、取付部材１４に適宜な係止部材を溶接等によって一体装着しておき、スクリーン部材２０の上縁部をこの係止部材に係合させる構造でもよい。また、上記例では、スクリーン部材を上下方向に巻取ったり巻き戻す構造を説明したが、これを左右方向に巻き取ったり巻き戻すように、即ち、巻取り軸１２の軸芯Ｌ１が上下方向に指向するように取り付けてもよい。この場合、下枠部材３０は竪枠部材となり、重力利用の作用は無くなるが、スクリーン部材を上下方向に広げた状態の維持を可能にする。
【産業上の利用可能性】
【００２４】
本発明は、建物の窓の部屋側や車庫等の開口部に設け、外部からの不正侵入防止や、部屋側から外部への不用意な飛び出し防止等のように、防犯や安全のために設けたり、或いは単なる間仕切りとしてのロールタイプのスクリーン装置として利用できる。
【図面の簡単な説明】
【００２５】
【図１】図１は本発明に係るロールスクリーン装置の正面図である。
【図２】図２は図１の装置上部の拡大図である。
【図３】図３は主要部の側面図である。
【図４】図４はスクリーン部材を巻き取った場合の側面図である。
【符号の説明】
【００２６】
１２                    巻取り軸
１４                    取付部材
２０                    スクリーン部材
【図１】
2006233581.tif 000003
【図２】
2006233581.tif 000004
【図３】
2006233581.tif 000005
【図４】
2006233581.tif 000006